(57)【要約】  【課題】  リモコン側又は本体側の操作で設定された設定情報に基づいて作動する電気機器に関し、リモコン側の操作で設定した設定情報以外の設定情報が変更される場合、変更される設定情報を報知することができる電気機器を提供する。  【解決手段】  受信部２６でリモコン１から送信された設定情報（例えば、設定温度、冷房又は送風などを示す運転モードなど）を受信した場合、マイクロコンピュータ２９は、受信した設定情報と記憶してある設定情報とを比較し、２つ以上の設定情報に差異があるか否かを判定する。２つ以上の差異がある場合、マイクロコンピュータ２９は、履歴フラグの有無を判定し、履歴フラグがある場合、受信した設定情報のうち履歴フラグに関連する設定情報を０．５秒間隔で３回点滅させ、履歴フラグをリセットする。【選択図】      図２
2007064555.tif 000002
【特許請求の範囲】
【請求項１】
作動条件を設定する複数の設定情報を一括で受け付ける第１の受付手段と、設定情報を受け付ける第２の受付手段とを備え、受け付けた設定情報を記憶し、該設定情報に基づいて作動する電気機器において、
前記第１の受付手段で受け付けた設定情報と記憶してある設定情報とを比較する手段と、
比較した結果、異なる設定情報が複数ある場合、該異なる設定情報を報知する報知手段と
を備えることを特徴とする電気機器。
【請求項２】
前記第２の受付手段で設定情報を受け付けた場合、該設定情報と関連付けて受付履歴情報を記憶する手段と、
前記第１の受付手段で設定情報を受け付けた場合、受付履歴情報の有無を判定する手段と
を備え、
前記報知手段は、
受付履歴情報が有る場合、受け付けた設定情報のうち前記受付履歴情報に関連する設定情報を報知するようにしてあることを特徴とする請求項１に記載の電気機器。
【請求項３】
前記第１の受付手段で受け付けた設定情報のうち該設定情報を受け付けた受付時点から直近に設定された設定情報を識別する手段を備え、
前記報知手段は、
前記受け付けた設定情報のうち前記直近に設定された設定情報以外の設定情報を報知するようにしてあることを特徴とする請求項１に記載の電気機器。
【請求項４】
設定情報を表示する表示手段を備え、
前記報知手段は、
前記表示手段で設定情報を表示させて報知するようにしてあることを特徴とする請求項１乃至請求項３のいずれか１つに記載の電気機器。
【発明の詳細な説明】
【技術分野】
【０００１】
本発明は、リモートコントロールユニット側又は本体側の操作で、作動条件を設定する設定情報を受け付け、受け付けた設定情報を記憶し、該設定情報に基づいて作動する電気機器に関する。
【背景技術】
【０００２】
扇風機、空気調和機（エアコンディショナー）などの電気機器は、ユーザの利便性向上のために遠隔操作可能なリモートコントロールユニット（以下、リモコンという）で電気機器の作動条件が設定される。一方で、リモコンの紛失、破損、電池切れなどの不具合に対応するため電気機器の本体にも作動条件を設定するための操作ボタン、操作スイッチを備えている。
【０００３】
近年、空気調和機の機能の多様化に伴ってリモコンの機能も多機能化し、操作用のスイッチのみを備えたリモコンのみならず、液晶表示画面及び電気機器の作動条件を記憶するとともに多種多様な機能を制御する制御回路を備えたリモコンも使用されるようになり、リモコンでの操作内容も多種多様になっている。
【０００４】
このため、空気調和機を使用するユーザが誤ってリモコン操作をする場合があり、ユーザが空気調和機の設定温度の上限又は下限を超えた温度設定操作、空気清浄運転中の温度設定操作などの不適合なリモコン操作を行った場合に、不適合なリモコン操作が行われたことをユーザに警告音で知らせる方法が提案されている（特許文献１参照）。
【特許文献１】特開平１０−２５９９号公報
【発明の開示】
【発明が解決しようとする課題】
【０００５】
しかしながら、特許文献１の方法にあっては、ユーザがリモコンで不適合な操作を行った場合、警告音（例えば、ブザー）で知らせることができるものの、以下のような不具合を是正することはできなかった。例えば、当初リモコン操作で、設定温度２２℃で冷房運転を始め、その後部屋の温度が冷えてきたため、空気調和機本体の操作ボタンで設定温度を２６℃に変更する。その後、今度はリモコンで所望の時間経過後に電源が切れる切りタイマーをオンに設定した場合、空気調和機本体で設定した設定温度２６℃が、リモコンで当初記憶された２２℃の設定温度で置き換わってしまうときでも、ユーザはその変更に気づかずに空気調和機の運転を続けるという不具合があり、これを是正することが望まれていた。
【０００６】
本発明は、斯かる事情に鑑みてなされたものであり、リモコン側の操作により本体側で受け付けた設定情報と記憶してある設定情報とを比較した結果、異なる設定情報が複数ある場合、該異なる設定情報を報知する報知手段を備えることにより、リモコン側の操作で設定した設定情報以外の設定情報が変更される場合、変更される設定情報を報知することができる電気機器を提供することを目的とする。
【０００７】
また、本発明の他の目的は、本体側の操作により設定情報を受け付けたときに該設定情報と関連付けて記憶される受付履歴情報の有無を判定し、受付履歴情報が有る場合、リモコン側の操作により受け付けた設定情報のうち前記受付履歴情報に関連する設定情報を報知するようにしてあることにより、本体側の操作で設定した設定情報がリモコン側の操作で変更される場合、変更される設定情報を報知することができる電気機器を提供することにある。
【０００８】
また、本発明の他の目的は、リモコン側の操作により受け付けた設定情報のうち該設定情報を受け付けた受付時点から直近に設定された設定情報以外の設定情報を報知するようにしてあることにより、リモコン側の操作で設定情報を設定する前に誤って設定された設定情報を報知することができる電気機器を提供することにある。
【０００９】
また、本発明の他の目的は、表示手段で設定情報を表示（例えば、点滅表示、光度を強めた連続点灯表示など）させて報知するようにしてあることにより、設定情報の変更を容易に確認することができる電気機器を提供することにある。
【課題を解決するための手段】
【００１０】
本発明に係る電気機器は、作動条件を設定する複数の設定情報を一括で受け付ける第１の受付手段と、設定情報を受け付ける第２の受付手段とを備え、受け付けた設定情報を記憶し、該設定情報に基づいて作動する電気機器において、前記第１の受付手段で受け付けた設定情報と記憶してある設定情報とを比較する手段と、比較した結果、異なる設定情報が複数ある場合、該異なる設定情報を報知する報知手段とを備えることを特徴とする。
【００１１】
本発明に係る電気機器は、前記第２の受付手段で設定情報を受け付けた場合、該設定情報と関連付けて受付履歴情報を記憶する手段と、前記第１の受付手段で設定情報を受け付けた場合、受付履歴情報の有無を判定する手段とを備え、前記報知手段は、受付履歴情報が有る場合、受け付けた設定情報のうち前記受付履歴情報に関連する設定情報を報知するようにしてあることを特徴とする。
【００１２】
本発明に係る電気機器は、前記第１の受付手段で受け付けた設定情報のうち該設定情報を受け付けた受付時点から直近に設定された設定情報を識別する手段を備え、前記報知手段は、前記受け付けた設定情報のうち前記直近に設定された設定情報以外の設定情報を報知するようにしてあることを特徴とする。
【００１３】
本発明に係る電気機器は、設定情報を表示する表示手段を備え、前記報知手段は、前記表示手段で設定情報を表示させて報知するようにしてあることを特徴とする。
【００１４】
本発明にあっては、第１の受付手段で作動条件を設定する複数の設定情報（例えば、リモコン側の操作で設定される設定情報）を一括で受け付ける。受け付けた設定情報と記憶してある設定情報とを比較し、異なる設定情報が複数ある場合（例えば、設定温度と運転モードなど）、報知手段は、異なる設定情報を報知する。例えば、受け付けた設定情報と記憶してある設定情報とで異なる設定情報が複数ある場合、異なる設定情報のうち一の設定情報は、リモコン操作を行うユーザが所望の作動条件を設定するためにリモコン操作により設定された設定情報である。異なる設定情報のうち他の設定情報は、何らかの理由により前記ユーザが気付かないうちに変更された設定情報である。異なる設定情報を報知することにより、ユーザに注意喚起を促す。
【００１５】
本発明にあっては、第２の受付手段で設定情報（例えば、本体側の操作で設定される設定情報）を受け付けた場合、受け付けた設定情報と関連付けて受付履歴情報を生成して記憶する。判定手段は、前記第１の受付手段で設定情報を受け付けた場合、受付履歴情報の有無を判定する。前記報知手段は、受付履歴情報が有る場合（すなわち、前記第１の受付手段で設定情報を受け付ける前に、前記第２の受付手段で設定情報を受け付けているとき）、受け付けた設定情報のうち前記受付履歴情報に関連する設定情報を報知する。これにより、前記第２の受付手段で受け付けた設定情報が、前記第１の受付手段で受け付けた設定情報で気付かないうちに置き換わることをユーザに注意喚起する。
【００１６】
本発明にあっては、前記第１の受付手段で受け付けた設定情報のうち該設定情報を受け付けた受付時点から直近に設定された設定情報（例えば、リモコン操作を行うユーザが所望の作動条件を設定するためにリモコン操作で直近に設定した設定情報）を識別する。前記報知手段は、前記受け付けた設定情報のうち前記直近に設定された設定情報以外（例えば、ユーザが所望の作動条件を設定する前に、ユーザが気付かないうちに誤って設定した設定情報）の設定情報を報知する。これにより、前記第１の受付手段で受け付けた設定情報が、誤ったリモコン操作で設定された設定情報で置き換わることをユーザに注意喚起する。
【００１７】
本発明にあっては、前記報知手段は、表示手段で設定情報を表示させて報知する。
【発明の効果】
【００１８】
本発明にあっては、リモコン側の操作により本体側で受け付けた設定情報と記憶してある設定情報とを比較した結果、異なる設定情報が複数ある場合、異なる設定情報を報知する報知手段を備えることにより、ユーザがリモコンを使って設定情報の設定を行った場合、ユーザが認識している設定情報と実際に設定される設定情報とが相違するときでも、相違する設定情報をユーザに注意喚起することができる。
【００１９】
本発明にあっては、本体側の操作により設定情報を受け付けたときに該設定情報と関連付けて記憶される受付履歴情報の有無を判定し、受付履歴情報が有る場合、前記第１の受付手段で受け付けた設定情報のうち前記受付履歴情報に関連する設定情報を報知することにより、ユーザがリモコンを使って設定情報の設定を行った場合、リモコン操作よりも前に本体側の操作で異なる設定情報が設定されていることにより、ユーザが認識している設定情報と実際に設定される設定情報とが相違するときでも、相違する設定情報をユーザに注意喚起することができる。
【００２０】
本発明にあっては、リモコン側の操作により受け付けた設定情報のうち該設定情報を受け付けた受付時点から直近に設定された設定情報以外の設定情報を報知することにより、ユーザがリモコンを使って設定情報の設定を行った場合、リモコン側の操作をする前に誤ってなされた操作で設定情報が変更され、ユーザが認識している設定情報と実際に設定される設定情報とが相違するときでも、相違する設定情報をユーザに注意喚起することができる。
【００２１】
本発明にあっては、表示手段で設定情報を表示させて報知することにより、ユーザが認識している設定情報と実際に設定される設定情報とが相違することを容易にユーザに注意喚起することができる。
【発明を実施するための最良の形態】
【００２２】
以下、本発明に係る電気機器の一例としての空気調和機を実施の形態を示す図面に基づいて説明する。図１は本発明に係る空気調和機１００の外観を示す斜視図である。図において、１は遠隔操作用のリモートコントロールユニット（以下、リモコンという）である。リモコン１は、後述するように、空気調和機本体２の運転条件（作動条件）を設定する設定情報（例えば、設定温度、冷房又は送風などを示す運転モード、所望時間経過後に運転を停止する切りタイマーなど）を赤外線通信などのワイヤレス通信により空気調和機本体２へ送信する。
【００２３】
空気調和機本体２は、所要の寸法の箱体状をなし、室内部と室外部とを分離する隔壁で内部を二分している。室内部の前面には、室内に空気を吹き出す吹出口２ａ、室内から空気を吸い込む吸込口２ｂ、空気調和機本体２の運転条件を設定する操作部２７、運転条件、運転状態などを表示する表示部２８を設けてある。室外部の後面には、室外へ空気を吹き出す吹出口２ｄを設けてあり、前記隔壁に沿って、空気調和機本体２の周囲には板状のアングル２ｃを周設してあり、建物の窓枠にアングル４を嵌め込むことにより、空気調和機本体２を窓枠に取り付けるようにしてある。
【００２４】
図２は本発明に係る空気調和機１００の構成を示すブロック図である。リモコン１は、設定情報を設定するための操作部１１、設定情報などを表示する表示部１２、設定した設定情報を空気調和機本体２へ送信する送信部１３、設定情報を記憶する記憶部１５、リモコン１の全体を制御するリモコン制御部１４を備える。なお、リモコン１と空気調和機本体２とは、送信部１３から空気調和機本体２へのみ設定情報を送信する一方向通信になっている。
【００２５】
操作部１１には、設定情報を設定するための各種スイッチを備え、操作部１１の各スイッチを操作する都度、リモコン制御部１４は、操作により変更された設定情報で記憶部１５に記憶された設定情報を更新するとともに、更新された設定情報を含めて記憶部１５に記憶した設定情報をまとめて送信部１３から送信する。
【００２６】
送信部１３は、変調回路を備え、操作部１１から入力された操作信号に基づいて、搬送波（例えば、３９ｋＨｚ）を変調した変調信号を送信する。送信部１３から送信される信号の信号形式は、例えば、ヘッダ、製造者コード、商品コード、データ部、パリティコードなどから構成される。データ部は、空気調和機本体２の運転条件を設定する設定情報、及び操作部１１で直近に操作して設定された設定情報を示す識別子を有する。
【００２７】
リモコン制御部１４は、例えば、操作部１１で設定温度を２５℃にする操作が行われた場合、記憶部１５に記憶された設定情報（例えば、設定温度が２２℃、運転モードが冷房強、切りタイマーオフとする）のうち、設定温度を２２℃から２５℃に変更するとともに、設定温度に直近に変更されたことを示す識別子を付与し、送信部１３を介して変更後の設定情報（設定温度が２５℃、運転モードが冷房強、切りタイマーオフ）を送信する。これにより、リモコン１での設定情報と空気調和機本体２での設定情報とを一致させることができる。
【００２８】
空気調和機本体２の隔壁３３により分離された室内部には、室内側の熱交換器２１、室内側のファン２３を設け、室外部には、室外側の熱交換器２２、室外側のファン２４、圧縮機２５を設けてある。これにより、例えば、冷房運転時には、圧縮機２５からの冷媒を室外側の熱交換器２２で凝縮することにより熱を室外に放熱し、キャピラリーチューブ（不図示）などの減圧手段を経て、冷媒を室内側の熱交換器２１で膨張させ吸込口２ｂから取り入れた空気を冷却した後、冷却した空気を吐出口２ａから吐き出すとともに、切換弁（不図示）を経て再び冷媒を圧縮機２５へ戻す。
【００２９】
受信部２６（第１の受付手段）は、赤外線受光素子、復調回路などを備え、リモコン１から送信された設定情報を受信し、受信した設定情報を復調し、復調後のデジタル信号をマイクロコンピュータ２９へ出力する。
【００３０】
操作部２７（第２の受付手段）は、空気調和機本体２の設定情報を設定するための各種スイッチを設け、各スイッチが操作される都度、操作部２７で操作された設定情報をデジタル信号に変換し、変換後のデジタル信号をマイクロコンピュータ２９へ出力する。すなわち、マイクロコンピュータ２９は、操作部２７に備えられた各スイッチが操作される都度、その操作に対応する設定情報を受け付ける。
【００３１】
表示部２８は、操作部２７又はリモコン１で設定された設定情報、空気調和機本体２の運転状態などを表示する。
【００３２】
マイクロコンピュータ２９は、空気調和機本体２の全体を制御し、例えば、温度センサ３０で検出した温度と設定情報で設定される設定温度とを比較し、比較した結果に応じて、圧縮機駆動部３２へ制御信号を出力する。圧縮機駆動部３２は、マイクロコンピュータ２９から入力された制御信号に基づいて、圧縮機２５の回転数を調節するための駆動電力を圧縮機２５へ出力する。
【００３３】
また、マイクロコンピュータ２９は、室外側のファン２４、又は室内側のファン２３の回転数を検出し、検出した回転数と設定情報で設定された風量に応じて、ファン駆動部３１へ制御信号を出力する。ファン駆動部３１は、マイクロコンピュータ２９から入力された制御信号に基づいて、ファン２３、２４の回転数を調節するための駆動電力をファン２３、２４へ出力する。
【００３４】
また、マイクロコンピュータ２９は、メモリを内蔵し、操作部２７から入力された設定情報又は受信部２６で受信した設定情報を記憶する。また、マイクロコンピュータ２９は、操作部２７での操作で設定情報が設定された場合、設定された設定情報、及び設定された設定情報の受付履歴を示す履歴フラグを関連付けて記憶する。マイクロコンピュータ２９は、記憶した設定情報に基づいて、空気調和機本体２の運転を制御する。
【００３５】
図３はリモコン２の操作部１１及び表示部１２の例を示す模式図である。図において、１１ａは、空気調和機本体２の運転をオン・オフするオン・オフスイッチ、１１ｂは、運転条件を設定する設定情報を変更する変更スイッチ、１１ｃは、空気調和機本体２の運転の入り切りタイマーを設定するタイマースイッチ、１１ｄは、設定温度を上げる温度設定スイッチ、１１ｅは、設定温度を下げる温度設定スイッチである。
【００３６】
表示部１２は、液晶パネルを備え、表示面の左上部のセグメント部は、２桁７セグメントで数字などを表示することができ、例えば、冷房運転時には、設定温度を表示する。表示面の左下部には、冷房運転時又は送風運転時の強さを示す３分割された三角形状のマークを表示することができ、冷房運転時又は送風運転時の強さが弱である場合、左端のマークを点灯表示し、強さが中である場合、左端と中央のマークを点灯表示し、強さが強である場合、すべてのマークを点灯表示する。表示部１２は、例えば、切りタイマーをセットした場合には、０．５時間の時間間隔で残り時間を表示する。表示面の右上部から下方向に、ＣＯＯＬ、ＦＡＮ、ＴＩＭＥＲの文字があり、夫々冷房運転時、送風運転時、タイマー作動時に点灯表示する。
【００３７】
リモコン１の短辺側中央部には、赤外線発光素子を備えた送信部１３を設けてある。また、リモコン１内部には、リモコン１の内部回路を作動させるための電池１６、１６を収納する収納スペースを設けてある。
【００３８】
図４は空気調和機本体２の操作部２７及び表示部２８の例を示す模式図である。図に示すように、操作部２７は、空気調和機本体２の運転をオン・オフするオン・オフスイッチ２７ａ、運転条件を設定する設定情報を変更する変更スイッチ２７ｂ、空気調和機本体２の運転の入り切りタイマーを設定するタイマースイッチ２７ｃ、設定温度を上げる温度設定スイッチ２７ｄ、設定温度を下げる温度設定スイッチ２７ｅを備える。
【００３９】
運転停止中にオン・オフスイッチ２７ａを押すことにより、記憶した設定情報、すなわち、直近に運転を停止した際の運転条件に基づいて空気調和機本体２の運転を開始する。運転状態でオン・オフスイッチ２７ａを押すことにより、空気調和機本体２は運転を停止する。
【００４０】
運転中に変更スイッチ２７ｂを押す度に運転モードを冷房強、冷房中、冷房弱、送風強、送風中、送風弱、冷房強と順に切り替えることができる。また、運転中にタイマースイッチ２７ｃを押すことにより、例えば、０．５時間から１２時間までの間を０．５時間間隔で切りタイマーを設定することができる。
【００４１】
冷房運転中に温度設定スイッチ２７ｄ、２７ｅを押すことにより、１℃毎に設定温度を調節することができる。例えば、設定温度の上限値は３２℃であり、下限値は１８℃である。
【００４２】
操作部２７の右端には、受信部２６の受信窓２６ａを備え、受信窓２６ａを介して受信部２６は、リモコン１から送信される設定情報を受信する。
【００４３】
表示部２８の表示面左側には、温度、タイマー設定時間などを２桁７セグメントＬＥＤで表示するセグメント部２８ａを有する。セグメント部２８ａは、冷房運転時には、吸込口の温度（室内温度）を表示するとともに、設定温度を変更した場合は、設定変更後５秒間だけ変更後の設定温度を表示するようにしてある。また、送風時には、温度の表示を行わない。
【００４４】
セグメント部２８ａは、切りタイマーをセットした場合には、０．５時間の時間間隔で残り時間を表示する。また、セグメント部２８ａは、冷房運転中は、温度表示よりもタイマーの残り時間を優先して表示する。
【００４５】
表示部２８は、運転モードが冷房運転中であることを示すＬＥＤ２８ｂ、送風運転中であることを示すＬＥＤ２８ｃ、切りタイマーがオンで運転中であることを示すＬＥＤ２８ｄ、冷房時の冷房の強さ又は送風時の風量の強さを示すＬＥＤ２８ｅ、２８ｆ、２８ｇを備える。例えば、ＬＥＤ２８ｅは、冷房又は送風が弱であることを示し、ＬＥＤ２８ｇは、冷房又は送風が強であることを示す。
【００４６】
図５は設定情報の例を示す説明図である。図に示すように、設定情報には、例えば、設定温度、運転モード、切りタイマーなどがある。また、夫々の設定情報には、設定値があり、例えば、設定温度は、２２℃、２３℃、…の如く空気調和機本体２の運転時の温度を設定する。また、運転モードは、冷房強、冷房中、冷房弱、送風強、送風中、送風弱の如く空気調和機本体２の運転時の運転状態を設定する。また、切りタイマーは、所望の時間経過後に運転を停止すべく、２時間後オフ、５時間後オフなどの設定値が設定される。
【００４７】
図６は履歴フラグの例を示す説明図である。図６（ａ）に示すように、空気調和機本体２の操作部２７の温度設定スイッチ２７ｄ、２７ｅを操作して、設定値を２２℃にした場合、マイクロコンピュータ２９は、履歴フラグ１をセットするとともに、設定情報として温度２２℃を記憶する。
【００４８】
次に、図６（ｂ）に示すように、空気調和機本体２の操作部２７の運転モードの変更スイッチ２７ｂを操作して、運転モードを冷房弱にした場合、マイクロコンピュータ２９は、すでに履歴フラグ１がセットされているため、履歴フラグ２をセットするとともに、設定情報として冷房弱を記憶する。
【００４９】
次に、図６（ｃ）に示すように、空気調和機本体２の操作部２７のタイマースイッチ２７ｃを操作して、切りタイマーオンにした場合、マイクロコンピュータ２９は、すでに履歴フラグ１、２がセットされているため、履歴フラグ１の内容を削除するとともに、履歴フラグ２の内容を履歴フラグ１とし、履歴フラグ２をセットするとともに、設定情報として切りタイマーオンを記憶する。これにより、マイクロコンピュータ２９は、操作部２７で操作して設定された直近及び直近より１つ前の設定情報の履歴を記憶する。
【００５０】
次に本発明の空気調和機１００の動作について説明する。図７及び図８は空気調和機１００の処理手順を示すフローチャートである。操作部２７又はリモコン１で運転開始の操作が行われた場合、マイクロコンピュータ２９は、空気調和機本体２の内部回路などの不具合がないか確認するため自己診断を行う（Ｓ１０）。
【００５１】
マイクロコンピュータ２９は、設定情報などを読み出すことにより初期設定を行い（Ｓ１１）、ファン・圧縮機を駆動する（Ｓ１２）。マイクロコンピュータ２９は、運転条件を示す設定情報を表示し（Ｓ１３）、リモコン１からリモコン信号を受信したか否かを判定する（Ｓ１４）。
【００５２】
リモコン信号を受信した場合（Ｓ１４でＹＥＳ）、マイクロコンピュータ２９は、運転停止の指示か否かを判定し（Ｓ１５）、運転停止でない場合（Ｓ１５でＮＯ）、受信した設定情報に基づいて設定情報を更新し（Ｓ１６）、リモコン信号判定処理を行い（Ｓ１７）、操作部２７から操作入力の有無を判定する（Ｓ１８）。なお、リモコン信号判定処理については、後述する。リモコン信号を受信しない場合（Ｓ１４でＮＯ）、マイクロコンピュータ２９は、ステップＳ１８以降の処理を続ける。
【００５３】
操作入力が有る場合（Ｓ１８でＹＥＳ）、マイクロコンピュータ２９は、運転停止の指示か否かを判定し（Ｓ１９）、運転停止でない場合（Ｓ１９でＮＯ）、受信した設定情報に基づいて設定情報を更新し（Ｓ２０）、履歴フラグをセットし（Ｓ２１）、切りタイマーの時間経過を判定する（Ｓ２２）。操作入力がない場合（Ｓ１８でＮＯ）、マイクロコンピュータ２９は、ステップＳ２２以降の処理を続ける。
【００５４】
予め切りタイマーがセットされ、切りタイマー時間が経過した場合（Ｓ２２でＹＥＳ）、マイクロコンピュータ２９は、ファン・圧縮機を停止し（Ｓ２３）、処理を終了する。  切りタイマー時間が経過していない場合（又は予め切りタイマーがセットされていない場合）（Ｓ２２でＮＯ）、マイクロコンピュータ２９は、設定温度と検出温度との比較結果、運転モードなどに応じてファン・圧縮機の駆動出力を調整し（Ｓ２４）、ステップＳ１２以降の処理を続ける。
【００５５】
一方、ステップＳ１５で、運転停止である場合（Ｓ１５でＹＥＳ）、マイクロコンピュータ２９は、ステップＳ２３の処理を行う。また、ステップＳ１９で、運転停止である場合（Ｓ１９でＹＥＳ）、マイクロコンピュータ２９は、ステップＳ２３の処理を行う。
【００５６】
次にリモコン信号判定処理について説明する。マイクロコンピュータ２９は、リモコン１から受信した設定情報と記憶してある設定情報とを比較し、２つ以上の設定情報に差異があるか否かを判定する（Ｓ１７１）。２つ以上の差異がある場合（Ｓ１７１でＹＥＳ）、マイクロコンピュータ２９は、履歴フラグの有無を判定する（Ｓ１７２）。
【００５７】
履歴フラグがある場合（Ｓ１７２でＹＥＳ）、マイクロコンピュータ２９は、受信した設定情報のうち履歴フラグに関連する設定情報を点滅（例えば、０．５秒間隔で３回点滅させる）表示し（Ｓ１７３）、履歴フラグをリセットする（Ｓ１７４）。これにより、マイクロコンピュータ２９は、履歴フラグと履歴フラグに関連付けて記憶した設定情報を消去する。マイクロコンピュータ２９は、他の履歴フラグがあるか否かを判定し（Ｓ１７５）、他の履歴フラグがある場合（Ｓ１７５でＹＥＳ）、ステップＳ１７３以降の処理を続ける。
【００５８】
他の履歴フラグがない場合（Ｓ１７５でＮＯ）、マイクロコンピュータ２９は、リモコン１から受信した設定情報のうち直近に設定された設定情報以外の設定情報と記憶している設定情報とで差異があるか否かを判定し（Ｓ１７６）、直近の設定情報以外の設定情報に差異がある場合（Ｓ１７６でＹＥＳ）、更新した異なる設定情報を点滅（例えば、０．５秒間隔で３回点滅させる）表示し（Ｓ１７７）、処理を終了する。
【００５９】
２つ以上の差異がない場合（Ｓ１７１でＮＯ）、マイクロコンピュータ２９は、設定情報の変更が直近に設定された設定情報のみであるとして、処理を終了する。ステップＳ１７２で、履歴フラグがない場合（Ｓ１７２でＮＯ）、マイクロコンピュータ２９は、ステップＳ１７６以降の処理を続ける。また、直近の設定情報以外の設定情報に差異がない場合（Ｓ１７６でＮＯ）、マイクロコンピュータ２９は、処理を終了する。
【００６０】
図９はリモコン操作に誤操作がある場合のリモコン操作と運転状態との関係を示すタイムチャートである。図に示すように、時刻ｔ１でリモコン１を操作することにより、設定情報（設定温度が２２℃、運転モードが冷房強、切りタイマーオフ）を空気調和機本体２へ送信し、空気調和機本体２は設定情報（設定温度が２２℃、運転モードが冷房強、切りタイマーオフ）に基づいて運転する。
【００６１】
時刻ｔ２でリモコン１の操作を誤り、例えば、ユーザが気づかずに温度設定のスイッチを押してしまい（スイッチの空打ち）、設定温度が２５℃に変更されたとする。これにより、リモコン１に記憶された設定情報は、設定温度が２５℃、運転モードが冷房強、切りタイマーオフとなる。空気調和機本体２は時刻ｔ１で設定された設定情報（設定温度が２２℃、運転モードが冷房強、切りタイマーオフ）に基づいて運転を継続する。
【００６２】
時刻ｔ３でリモコン１を操作することにより、運転モードを冷房強から冷房中に変更した場合、変更後の設定情報（設定温度が２５℃、運転モードが冷房中、切りタイマーオフ）が空気調和機本体２へ送信される。この場合、受信した設定情報と記憶してある設定情報とは、設定温度、及び運転モードの２つの設定情報で差異があり、空気調和機本体２は差異がある設定情報のうち、直近に変更された設定情報である運転モード以外の設定情報である設定温度２５℃を点滅表示する。また、空気調和機本体２は更新された設定情報（設定温度が２５℃、運転モードが冷房中、切りタイマーオフ）に基づいて運転する。
【００６３】
図１０は空気調和機本体２側の操作がある場合のリモコン操作と運転状態との関係を示すタイムチャートである。図に示すように、時刻ｔ５でリモコン１を操作することにより、設定情報（設定温度が２２℃、運転モードが冷房強、切りタイマーオフ）を空気調和機本体２へ送信し、空気調和機本体２は設定情報（設定温度が２２℃、運転モードが冷房強、切りタイマーオフ）に基づいて運転する。
【００６４】
時刻ｔ６で空気調和機本体２の操作部２７を操作して、設定温度を２６℃に変更すると、設定温度２６℃とともに履歴フラグ（第１履歴フラグ）がセットされる。空気調和機本体２は更新された設定情報（設定温度が２６℃、運転モードが冷房強、切りタイマーオフ）に基づいて運転を継続する。
【００６５】
時刻ｔ７でリモコン１を操作することにより、運転モードを冷房強から冷房中に変更した場合、変更後の設定情報（設定温度が２２℃、運転モードが冷房中、切りタイマーオフ）が空気調和機本体２へ送信される。この場合、受信した設定情報と記憶してある設定情報とは、設定温度、及び運転モードの２つの設定情報で差異があり、空気調和機本体２は、受信した設定情報のうち、履歴フラグに関連する設定情報である設定温度２２℃点滅表示する。また、空気調和機本体２は更新された設定情報（設定温度が２２℃、運転モードが冷房中、切りタイマーオフ）に基づいて運転する。
【００６６】
以上説明したように、本発明にあっては、リモコン１から受信した設定情報と記憶してある設定情報とを比較し、異なる設定情報が２つ以上ある場合、異なる設定情報を点滅表示させることにより、ユーザが認識している設定情報と実際に設定される設定情報とが相違する場合が生じても、相違する設定情報をユーザに注意喚起することができる。また、空気調和機本体２で操作した設定情報の変更を、履歴フラグをセットして設定情報の変更履歴を保持することにより、リモコン１から受信した設定情報と空気調和機本体２で設定した設定情報とに差異が生じ、ユーザが認識している設定情報と実際に設定される設定情報とが相違するときでも、相違する設定情報をユーザに注意喚起することができる。さらに、ユーザが誤ってリモコン操作をしてしまい、誤ってなされた操作で設定情報が変更され、ユーザが認識している設定情報と実際に設定される設定情報とが相違するときでも、相違する設定情報をユーザに注意喚起することができる。
【００６７】
上述の実施の形態では、空気調和機を例として説明したが、空気調和機に限定されるものではなく、本体側とリモコン側とで設定情報を設定するものであれば、いずれの電気機器であってもよい。例えば、扇風機、除湿機、空気清浄機などに本発明を適用することが可能である。
【００６８】
上述の実施の形態では、設定情報を点滅表示する構成であったが、これに限定されるものではなく、明るさを強くして所望の時間連続点灯するものでもよい。また、ブザーなどの警告音を同時に発する構成であってもよい。
【００６９】
上述の実施の形態では、履歴フラグは２段階の受付履歴を保持するものであったが、これに限定されるものではなく、１段階、又は３段階以上であってもよい。
【００７０】
上述の実施の形態では、設定情報の例として設定温度、運転モード、切りタイマーを用いるものであったが、設定情報は、これに限定されるものではなく、他の運転条件を設定する情報を含めることができることはいうまでもない。例えば、設定湿度、入りタイマー、風向などである。
【００７１】
上述の実施の形態では、リモコン１と空気調和機本体２との通信は、赤外線通信を用いるものであったが、これに限定されるものではなく、他のワイヤレス通信方式を用いることができる。
【００７２】
上述の実施の形態では、ユーザが認識している設定情報と実際に設定される設定情報とが相違する場合、相違する設定情報を点滅表示するものであったが、これにリモコン操作を行うユーザが所望の作動条件を設定するために設定変更した直近の設定情報を含めても良い。
【図面の簡単な説明】
【００７３】
【図１】本発明に係る空気調和機の外観を示す斜視図である。
【図２】本発明に係る空気調和機の構成を示すブロック図である。
【図３】リモコンの操作部及び表示部の例を示す模式図である。
【図４】空気調和機本体の操作部及び表示部の例を示す模式図である。
【図５】設定情報の例を示す説明図である。
【図６】履歴フラグの例を示す説明図である。
【図７】空気調和機の処理手順を示すフローチャートである。
【図８】空気調和機の処理手順を示すフローチャートである。
【図９】リモコン操作に誤操作がある場合のリモコン操作と運転状態との関係を示すタイムチャートである。
【図１０】空気調和機本体側の操作がある場合のリモコン操作と運転状態との関係を示すタイムチャートである。
【符号の説明】
【００７４】
１  リモコン
２  空気調和機本体
１１  操作部
１２  表示部
１３  送信部
１４  リモコン制御部
１５  記憶部
２６  受信部
２７  操作部
２８  表示部
２９  マイクロコンピュータ
【図１】
2007064555.tif 000003
【図２】
2007064555.tif 000004
【図３】
2007064555.tif 000005
【図４】
2007064555.tif 000006
【図５】
2007064555.tif 000007
【図６】
2007064555.tif 000008
【図７】
2007064555.tif 000009
【図８】
2007064555.tif 000010
【図９】
2007064555.tif 000011
【図１０】
2007064555.tif 000012